(57)【要約】      （修正有）【課題】接着工程が不要で、容易に製造することができる紙製包装箱を提供する。【解決手段】紙製包装箱１０は、複数の辺を有する底壁３０、及び辺の各々に連設されるとともに起立する複数の内側側壁４０を有する紙製の内箱２０と、内側側壁の各々の外面に沿って設けられ、内側側壁を外側から覆う複数の外側側壁７０を有する紙製の外箱６０と、を備えている。内側側壁には、当該内側側壁が連設される辺である短辺３０ａに沿って延在するとともに内箱の内外を連通するスリット４４が形成されている。当該辺である短辺に対応する外側側壁は、側壁本体７３ａと、側壁本体に対して回動可能に連設され、スリットに対して外側から抜き差し自在な連結片８０とを有している。【選択図】図３
0003233341.tif 000002
【実用新案登録請求の範囲】
【請求項１】
複数の辺を有する底壁、及び前記辺の各々に連設されるとともに起立する複数の内側側壁を有し、前記内側側壁の各々の上部によって上部開口が形成される紙製の内箱と、
前記内側側壁の各々の外面に沿って設けられ、前記内側側壁を外側から覆う複数の外側側壁、及び前記複数の外側側壁の少なくとも１つの上端縁に回動可能に連設され、前記外側側壁の各々の上部によって形成される上部開口を開閉する蓋壁を有する紙製の外箱と、
を備えており、
前記内側側壁には、当該内側側壁が連設される前記辺に沿って延在するとともに前記内箱の内外を連通するスリットが形成されており、
当該辺に対応する前記外側側壁は、側壁本体と、前記側壁本体に対して回動可能に連設され、前記スリットに対して外側から抜き差し自在な連結片と、を有しており、
前記スリットに対して前記連結片が差し込まれていることによって前記外箱と前記内箱とが連結状態とされる一方、前記スリットから前記連結片が引き抜かれることによって前記外箱と前記内箱との連結状態が解除されるように構成されている、
紙製包装箱。
【請求項２】
前記底壁は、矩形状であり、
前記スリットは、前記底壁の互いに平行な一対の辺に連設される２つの前記内側側壁にそれぞれ設けられている、
請求項１に記載の紙製包装箱。
【請求項３】
前記内箱は、前記底壁及び前記複数の内側側壁を有する内箱本体と、表示部、前記内側側壁の外面に接着された接着部、及び前記表示部と前記接着部との間に位置し、前記接着部に対して前記表示部を回動可能に連結するヒンジ部を有する表示板と、を備えており、
前記表示板は、前記表示板全体が当該内側側壁の外面と重なり合う格納位置と、当該内側側壁の外面に沿うとともに前記表示部が当該内側側壁の上端縁よりも上方に突出する使用位置との間で回動可能に構成されており、
前記内側側壁及び前記表示板の少なくとも一方には、前記使用位置において、前記内側側壁と前記表示板とを接着する両面テープが貼着されている、
請求項２に記載の紙製包装箱。
【考案の詳細な説明】
【技術分野】
【０００１】
本考案は、紙製包装箱に関する。
【背景技術】
【０００２】
特許文献１には、紙製の内箱部と、内箱部を覆う紙製の外箱部とを備える包装箱が開示されている。
内箱部は、長方形状の底面部、及び底面部の４つの辺から立設される４つの内側側壁部を有している。４つの内側側壁部の上部によって上部開口が形成されている。
【０００３】
外箱部は、各内側側壁部の外面に沿って設けられ、内側側壁部を外側から覆う４つの外側側壁部、及び各外側側壁部の上端縁に回動可能に連設され、４つの外側側壁部の上部によって形成される上部開口を開閉する４つの蓋部を有している。
【０００４】
内側側面部の一部には、他の部分とミシン目及び切込みを介して分離可能な分離部が設けられている。
外側側面部には、略コ字状の切込みにより形成されるとともに水平方向に回動可能な片部が設けられている。
【０００５】
片部の内面は、上記分離部と接着されている。これにより、外箱部と内箱部とが連結されている。
こうした包装箱においては、対象物を取り出す際、底面部を床やテーブルなどの上に置いた状態で、片部を外側に回動させると、分離部が片部に接着した状態のまま内箱部から分離する。これにより、外箱部と内箱部との連結状態が解除される。続いて、外箱部のみを上方に持ち上げると、対象物を収容した状態の内箱部のみが床やテーブルなどの上に残る。これにより、内箱部に収容されている対象物を、上部開口を通じて取り出すことが可能となる。
【先行技術文献】
【特許文献】
【０００６】
【特許文献１】実用新案登録第３１３９９４８号公報
【考案の概要】
【考案が解決しようとする課題】
【０００７】
特許文献１に記載の収容箱においては、外箱部の片部と内箱部の分離部とが接着されている。そのため、包装箱を製造する際に、外箱部と内箱部とを連結させる上で接着工程が必要となり、製造工程が煩雑となる。
【課題を解決するための手段】
【０００８】
上記課題を解決するための紙製包装箱は、複数の辺を有する底壁、及び前記辺の各々に連設されるとともに起立する複数の内側側壁を有し、前記内側側壁の各々の上部によって上部開口が形成される紙製の内箱と、前記内側側壁の各々の外面に沿って設けられ、前記内側側壁を外側から覆う複数の外側側壁、及び前記複数の外側側壁の少なくとも１つの上端縁に回動可能に連設され、前記外側側壁の各々の上部によって形成される上部開口を開閉する蓋壁を有する紙製の外箱と、を備えており、前記内側側壁には、当該内側側壁が連設される前記辺に沿って延在するとともに前記内箱の内外を連通するスリットが形成されており、当該辺に対応する前記外側側壁は、側壁本体と、前記側壁本体に対して回動可能に連設され、前記スリットに対して外側から抜き差し自在な連結片と、を有しており、前記スリットに対して前記連結片が差し込まれていることによって前記外箱と前記内箱とが連結状態とされる一方、前記スリットから前記連結片が引き抜かれることによって前記外箱と前記内箱との連結状態が解除されるように構成されている。
【０００９】
同構成によれば、内箱の各内側側壁が外箱の各外側側壁によって外側から覆われた状態において、外箱の連結片を内箱のスリットに差し込むことによって、外箱と内箱とが連結状態となる。この連結状態において、内箱の内部に商品などの対象物を収容した状態で、外箱の蓋壁を回動させることによって外箱及び内箱の上部開口が閉じられる。
【００１０】
一方、包装箱から対象物を取り出す際には、底壁を床やテーブルなどの上に置いた状態で、スリットから連結片を引き抜くと、外箱と内箱との連結状態が解除される。続いて、外箱のみを上方に持ち上げると、対象物を収容した状態の内箱のみが床やテーブルなどの上に残る。これにより、内箱に収容されている対象物を、上部開口を通じて取り出すことが可能となる。
【００１１】
このように、上記構成によれば、スリットに対して連結片を差し込むことによって外箱と内箱とを連結させることができることから、外箱と内箱とを連結させる上で接着工程が不要となる。したがって、紙製包装箱を容易に製造することができる。
【００１２】
上記紙製包装箱において、前記底壁は、矩形状であり、前記スリットは、前記底壁の互いに平行な一対の辺に連設される２つの前記内側側壁にそれぞれ設けられていることが好ましい。
【００１３】
同構成によれば、一対のスリット及び一対の連結片によって外箱と内箱とを安定して連結することができる。
上記紙製包装箱において、前記内箱は、前記底壁及び前記複数の内側側壁を有する内箱本体と、表示部、前記内側側壁の外面に接着された接着部、及び前記表示部と前記接着部との間に位置し、前記接着部に対して前記表示部を回動可能に連結するヒンジ部を有する表示板と、を備えており、前記表示板は、前記表示板全体が当該内側側壁の外面と重なり合う格納位置と、当該内側側壁の外面に沿うとともに前記表示部が当該内側側壁の上端縁よりも上方に突出する使用位置との間で回動可能に構成されており、前記内側側壁及び前記表示板の少なくとも一方には、前記使用位置において、前記内側側壁と前記表示板とを接着する両面テープが貼着されていることが好ましい。
【００１４】
同構成によれば、使用位置においては、表示板の表示部が内側側壁の上端縁よりも上方に突出する。また、両面テープによって内側側壁と表示板とが接着されることで、表示板を表示位置において容易に固定することができる。したがって、表示部による表示を効果的に行うことができる。
【００１５】
また、上記構成によれば、格納位置においては、表示板全体が内側側壁の外面と重なり合うため、表示板が面方向において内側側壁から突出しない。これにより、表示板が外箱に干渉することを抑制できる。
【００１６】
また、表示板が内側側壁とは別体にて構成されているため、内箱本体及び表示板などを原紙から切り抜いた後に残るロス部分を低減することができる。
【考案の効果】
【００１７】
本考案によれば、紙製包装箱を容易に製造することができる。
【図面の簡単な説明】
【００１８】
【図１】包装箱の一実施形態を示す斜視図。
【図２】同実施形態の包装箱を下方から見た斜視図。
【図３】同実施形態の包装箱の分解斜視図。
【図４】同実施形態の外箱の展開図。
【図５】同実施形態の内箱の平面図。
【図６】同実施形態の内箱の展開図。
【図７】（ａ）は、内箱の分解斜視図、（ｂ）は、表示板が使用位置にある状態の内箱の斜視図。
【図８】包装箱の連結片を中心に拡大して示す斜視図であって、（ａ）は、連結片がスリットに挿入されている状態を示す図、（ｂ）は、連結片がスリットに挿入されていない状態を示す図。
【図９】折り畳まれている状態の包装箱の平面図。
【図１０】変形例の内箱を背面側から示す斜視図。
【図１１】図１０の１１−１１線に沿った断面図。
【図１２】他の変形例の内箱を正面側から示す斜視図。
【考案を実施するための形態】
【００１９】
以下、図１〜図９を参照して、一実施形態について説明する。
図１〜図３に示すように、包装箱１０は、内箱２０と、内箱２０を覆う外箱６０とを備えている。内箱２０及び外箱６０は共に厚紙製である。
【００２０】
まず、内箱２０の基本構成について説明する。
＜内箱２０＞
図３に示すように、内箱２０は、内箱本体２１と、表示板５０とを備えている。
【００２１】
＜内箱本体２１＞
図３に示すように、内箱本体２１は、矩形状、すなわち長方形状の底壁３０を有している。底壁３０は、互いに平行な一対の短辺３０ａと、互いに平行な一対の長辺３０ｂとを有している。
【００２２】
図２、図５及び図６に示すように、底壁３０は、一対の短辺３０ａを構成する一対の短辺フラップ３１と、一対の長辺３０ｂを構成する一対の長辺フラップ３２とを有している。
【００２３】
長辺フラップ３２は、一方の短辺フラップ３１の一部に対して重なり合わない本体部３３と、同短辺フラップ３１に接着された接着部３４とを有している。本体部３３と接着部３４との境界部分には、折り線Ｌ１が形成されている。
【００２４】
図５に示すように、本体部３３は、他の長辺フラップ３２及び同長辺フラップ３２の接着部３４と接着された他の短辺フラップ３１に対して内側から重なり合っている。一対の短辺フラップ３１と一対の長辺フラップ３２とが隙間無く重なり合うことによって、底壁３０が構成されている。
【００２５】
図３に示すように、内箱本体２１は、底壁３０の辺３０ａ，３０ｂの各々に連結されるとともに起立する４つの内側側壁４０を有している。
４つの内側側壁４０は、１つの正面側壁４１と、１つの背面側壁４２と、一対の側面側壁４３とにより構成されている。
【００２６】
正面側壁４１は、正面視矩形状であり、底壁３０の一方の長辺３０ｂに連結されるとともに起立する。
正面側壁４１は、底壁３０の長辺３０ｂから起立する本体部４１ａと、本体部４１ａの上端縁に形成された折り線Ｌ２を介して回動可能に連設された表示部４１ｃとを有している。
【００２７】
背面側壁４２は、背面視矩形状であり、底壁３０の他方の長辺３０ｂに連結されるとともに起立する。背面側壁４２は、正面側壁４１と平行に設けられている。正面側壁４１の底壁３０からの高さは、背面側壁４２の底壁３０からの高さよりも低い。
【００２８】
一対の側面側壁４３は、底壁３０の一対の短辺３０ａにそれぞれ連結されるとともに起立する。側面側壁４３は、正面側壁４１と背面側壁４２との間に位置している。
側面側壁４３は、側面視略台形状である。側面側壁４３の上端縁４３ａの正面側の部分は、正面側壁４１に近づくほど下方に位置するように傾斜するとともに上記折り線Ｌ２に連なっている。
【００２９】
４つの内側側壁４０の各々の上部によって上部開口４０ａが形成されている。
図３及び図６に示すように、一対の側面側壁４３の下端には、当該側面側壁４３が連設される短辺３０ａに沿って延在するとともに内箱２０の内外を連通するスリット４４が形成されている。スリット４４は、側面側壁４３の幅方向の中央部に１つずつ設けられている。
【００３０】
図６に示すように、展開状態の内箱本体２１においては、背面側壁４２、側面側壁４３、正面側壁４１、及び側面側壁４３が順に連設されている。背面側壁４２において同背面側壁４２に連設される側面側壁４３とは反対側には、他方の側面側壁４３の内面に接着される接着代部４５が連設されている。
【００３１】
なお、図６に太線の破線にて示すように、各長辺フラップ３２には、折り線Ｌ１に沿って延在する複数のスリットが設けられている。正面側壁４１には、折り線Ｌ２に沿って延在する複数のスリットが設けられている。
【００３２】
＜表示板５０＞
図７（ａ）及び図７（ｂ）に示すように、表示板５０は、表示部５１、背面側壁４２の外面に接着された接着部５２、及び表示部５１と接着部５２との間に位置し、接着部５２に対して表示部５１を回動可能に連結するヒンジ部５３を有している。
【００３３】
なお、図７（ａ）に示すように、背面側壁４２の外面には、接着部５２の接着位置の目印となるＬ字状の切込４６が設けられている。
図７（ｂ）に示すように、表示板５０は、同図に二点鎖線にて示す格納位置と、同図に実線にて示す使用位置との間で回動可能に構成されている。
【００３４】
表示板５０が格納位置にあるとき、表示板５０全体が内側側壁４０の外面と重なり合う。
表示板５０が使用位置にあるとき、表示部５１は、内側側壁４０の外面に沿うとともに内側側壁４０の上端縁よりも上方に突出する。このとき、表示部５１の正面には、内箱２０内に収容される商品に関する情報が印刷等によって表示される。
【００３５】
図６及び図７（ａ）に示すように、表示板５０には、使用位置において、背面側壁４２の外面と表示板５０とを接着する両面テープ５４が貼着されている。
なお、図６に太線の破線にて示すように、表示板５０には、ヒンジ部５３に沿って延在する複数のスリットが設けられている。
【００３６】
＜外箱６０＞
図１〜図３に示すように、外箱６０は、内側側壁４０の各々の外面に沿って設けられ、内側側壁４０を外側から覆う４つの外側側壁７０を有している。
【００３７】
４つの外側側壁７０は、一対の正面側壁７１と、一対の側面側壁７３とにより構成されている。正面側壁７１及び側面側壁７３は矩形状、すなわち長方形状である。
４つの外側側壁７０の上部及び下部によって上部開口７０ａ及び下部開口７０ｄがそれぞれ形成されている。
【００３８】
４つの外側側壁７０の上端縁には、上部開口７０ａを開閉する４つの蓋壁７４が回動可能に連設されている。各蓋壁７４は矩形状、すなわち長方形状である。
図示は省略するが、各蓋壁７４が外箱６０の内側に向けて折り込まれることで、上部開口７０ａが閉塞される。
【００３９】
図１〜図４に示すように、一対の側面側壁７３は、側壁本体７３ａと、側壁本体７３ａに対して回動可能に連設され、スリット４４に対して外側から抜き差し自在な連結片８０とを有している。
【００４０】
側壁本体７３ａには、外側側壁７０の下端縁から上方に延びる一対の切込７３ｂが形成されている。
図３及び図７に示すように、連結片８０は、一対の切込７３ｂによって挟まれた部分であり、側壁本体７３ａに対してヒンジ部８１を介して回動可能に連設された第１部分８２を有している。また、連結片８０は、第１部分８２に対してヒンジ部８３を介して回動可能に連設されるとともに、側壁本体７３ａの下端縁よりも下方に延びる第２部分８４とを有している。
【００４１】
図４に示すように、展開状態の外箱６０においては、正面側壁７１、側面側壁７３、正面側壁７１、及び側面側壁７３が順に連設されている。一方の正面側壁７１のみが連設されている側面側壁７３には、同正面側壁７１とは反対側に、他方の正面側壁７１の外面に接着される接着代部７５が連設されている。
【００４２】
なお、図４に太線の破線にて示すように、正面側壁７１と側面側壁７３との間、及び側面側壁７３と接着代部７５との間には、同図の上下方向に延びる複数のスリットが設けられている。
【００４３】
次に、本実施形態の作用について説明する。
図８（ａ）に示すように、内箱２０の各内側側壁４０が外箱６０の各外側側壁７０によって外側から覆われた状態において、外箱６０の連結片８０を内箱２０のスリット４４に差し込むことによって、外箱６０と内箱２０とが連結状態となる。連結状態においては、連結片８０の第１部分８２が側面側壁４３に沿っている。また、第２部分８４が、ヒンジ部８３を介して外箱６０の内側に曲げられた状態で、スリット４４に挿通されている。
【００４４】
この連結状態において、内箱２０の内部に商品などの対象物を収容した状態で、外箱６０の蓋壁７４を回動させることによって外箱６０及び内箱２０の上部開口４０ａ，７０ａが閉じられる。
【００４５】
一方、図８（ｂ）に示すように、包装箱１０から対象物を取り出す際には、底壁３０を床やテーブルなどの上に置いた状態で、スリット４４から連結片８０を引き抜くと、外箱６０と内箱２０との連結状態が解除される。続いて、外箱６０のみを上方に持ち上げると、内箱２０が下部開口７０ｄを通じて外箱６０の内部から抜けることで、対象物を収容した状態の内箱２０のみが床やテーブルなどの上に残る。これにより、内箱２０に収容されている対象物を、上部開口４０ａを通じて取り出すことが可能となる。
【００４６】
このように、本実施形態によれば、スリット４４に対して連結片８０を差し込むことによって外箱６０と内箱２０とを連結させることができることから、外箱６０と内箱２０とを連結させる上で接着工程が不要となる（以上、作用１）。
【００４７】
また、図９に示すように、包装箱１０は、外箱６０の連結片８０を内箱２０のスリット４４に差し込んで組み立てた状態（図１参照）から、一対の正面側壁７１に連なる蓋壁７４の内面同士が当接するように折り畳むことが可能に構成されている。このとき、底壁３０の長辺フラップ３２が折り線Ｌ１で折り畳まれることで本体部３３の外面と接着部３４の外面とが当接する。
【００４８】
上記のように折り畳まれた状態の包装箱１０を、底壁３０が平板状となるように組み立てる際、外箱６０の連結片８０が内箱２０のスリット４４に差し込まれた状態が保持される。この場合、包装箱１０を組み立てる際に、外箱６０と内箱２０とを別々に組み立てた後で外箱６０と内箱２０とを連結状態にするという手間が不要になる（以上、作用２）。
【００４９】
次に、本実施形態の効果について説明する。
（１）内側側壁４０には、当該内側側壁４０が連設される辺である短辺３０ａに沿って延在するとともに内箱２０の内外を連通するスリット４４が形成されている。短辺３０ａに対応する外側側壁７０は、側壁本体７３ａと、側壁本体７３ａに対して回動可能に連設され、スリット４４に対して外側から抜き差し自在な連結片８０とを有している。スリット４４に対して連結片８０が差し込まれていることによって外箱６０と内箱２０とが連結状態とされる一方、スリット４４から連結片８０が引き抜かれることによって外箱６０と内箱２０との連結状態が解除されるように構成されている。
【００５０】
こうした構成によれば、上記作用１を奏することにより、包装箱１０を容易に製造することができる。
（２）スリット４４は、底壁３０の一対の短辺３０ａに連設される２つの内側側壁４０である側面側壁４３にそれぞれ設けられている。
【００５１】
こうした構成によれば、一対のスリット４４及び一対の連結片８０によって外箱６０と内箱２０とを安定して連結することができる。
（３）表示板５０は、表示板５０全体が内側側壁４０の外面と重なり合う格納位置と、内側側壁４０の外面に沿うとともに表示部５１が内側側壁４０の上端縁よりも上方に突出する使用位置との間で回動可能に構成されている。表示板５０には、使用位置において、内側側壁４０と表示板５０とを接着する両面テープ５４が貼着されている。
【００５２】
こうした構成によれば、使用位置においては、表示板５０の表示部５１が内側側壁４０の上端縁よりも上方に突出する。また、両面テープ５４によって内側側壁４０と表示板５０とが接着されることで、表示板５０を表示位置において容易に固定することができる。したがって、表示部５１による表示を効果的に行うことができる。
【００５３】
また、図７に示すように、格納位置においては、表示板５０全体が内側側壁４０の外面と重なり合うため、表示板５０が面方向において内側側壁４０から突出しない。これにより、表示板５０が外箱６０に干渉することが抑制されている。
【００５４】
また、表示板５０が内側側壁４０とは別体にて構成されているため、内箱本体２１及び表示板５０などを図示しない原紙から切り抜いた後に残るロス部分を低減することができる。
【００５５】
（４）上記作用２を奏することにより、包装箱１０を容易に組み立てることができる。
＜変更例＞
上記実施形態は、例えば以下のように変更して実施することもできる。本実施形態及び以下の変更例は、技術的に矛盾しない範囲で互いに組み合わせて実施することができる。
【００５６】
・図１０及び図１１に示すように、内箱２０は、内箱本体２１をネットなどの横棒部Ｂに掛止するための掛止部材９０を備えるものであってもよい。この場合、掛止部材９０は、断面略Ｓ字状であり、背面側壁４２に形成された取付孔４２ａを通じて背面側壁４２に取り付けられている。なお、内箱２０は、掛止部材９０が予め背面側壁４２に取り付けられた状態で外箱６０によって覆われている。
【００５７】
・図１２に示すように、内箱本体２１をネットなどの横棒部Ｂに掛止するための掛止部材は、背面側壁４２において幅方向に互いに間隔をあけて形成された２つの貫通孔４２ｂに挿通された環状の紐９１と、Ｓ字フック９２とによって構成されていてもよい。
【００５８】
この場合、紐９１を上方に引っ張り上げた状態で、紐９１の頂点部分にＳ字フック９２の下端を掛止するとともに上端を横棒部Ｂに掛止することで、横棒部Ｂに内箱２０を吊り下げることができる。なお、内箱２０は、２つの貫通孔４２ｂに紐９１が挿通された状態で外箱６０によって覆われている。
【００５９】
・本実施形態では、内側側壁４０と表示板５０とを接着する両面テープ５４が、表示板５０に予め貼着されている構成について例示したが、両面テープ５４が内側側壁４０の外面に予め貼着される構成を採用することもできる。
【００６０】
・本実施形態では、スリット４４が一対の側面側壁４３に設けられている構成について例示したが、スリット４４を、背面側壁４２と正面側壁４１とに設けるようにしてもよい。また、スリット４４を一方の側面側壁４３及び背面側壁４２に設けることや、スリット４４を一方の側面側壁４３及び正面側壁４１に設けることもできる。すなわち、スリット４４を、互いに隣り合う内側側壁４０に設けるようにしてもよい。また、スリット４４を全ての内側側壁４０に設けるようにしてもよい。
【００６１】
・底壁３０の形状は矩形、すなわち長方形に限定されず、正方形でもよいし、六角形や五角形などの他の多角形であってもよい。
・表示板５０は内側側壁４０に対して予め接着されていなくてもよい。
【００６２】
・表示板５０を省略することができる。
・表示部４１ｃは、本体部４１ａと別体で設けられてもよい。この場合、本体部４１ａと表示部４１ｃとを貼り付けや、差し込みによって取り付けてもよい。
【符号の説明】
【００６３】
１０…包装箱
２０…内箱
２１…内箱本体
３０…底壁
３０ａ…短辺
３０ｂ…長辺
３１…短辺フラップ
３２…長辺フラップ
３３…本体部
３４…接着部
４０…内側側壁
４０ａ…上部開口
４１…正面側壁
４１ａ…本体部
４１ｃ…表示部
４２…背面側壁
４２ａ…取付孔
４２ｂ…貫通孔
４３…側面側壁
４３ａ…上端縁
４４…スリット
４５…接着代部
４６…切込
５０…表示板
５１…表示部
５２…接着部
５３…ヒンジ部
５４…両面テープ
６０…外箱
７０…外側側壁
７０ａ…上部開口
７０ｄ…下部開口
７１…正面側壁
７３…側面側壁
７３ａ…側壁本体
７３ｂ…切込
７４…蓋壁
７５…接着代部
８０…連結片
８１…ヒンジ部
８２…第１部分
８３…ヒンジ部
８４…第２部分
９０…掛止部材
９１…紐
９２…Ｓ字フック
Ｂ…横棒部
【図１】
0003233341.tif 000003
【図２】
0003233341.tif 000004
【図３】
0003233341.tif 000005
【図４】
0003233341.tif 000006
【図５】
0003233341.tif 000007
【図６】
0003233341.tif 000008
【図７】
0003233341.tif 000009
【図８】
0003233341.tif 000010
【図９】
0003233341.tif 000011
【図１０】
0003233341.tif 000012
【図１１】
0003233341.tif 000013
【図１２】
0003233341.tif 000014